(57)【要約】      （修正有）【課題】結合リングがフランジ部に対して斜めに傾いた状態で取り付けられることを防止する。【解決手段】内周面に凹溝４３が設けられた結合リング４０を、対向するフランジ部２０に外嵌させ、該結合リング４０を内径が縮小するように締め付けて、凹溝４３の側面の傾斜面４３ａがフランジ部２０の裏面の傾斜面２２を押圧し、その際に生じる軸方向の分力によりフランジ部２０同士が圧着結合されるように構成したものであって、フランジ部２０に対し、結合リング４０を正規の取り付け姿勢よりも所定角度以上傾いた姿勢のまま取り付けて締め付けた場合にのみ、締め付け完了前に当該結合リング４０の一部４４ａに当接するとともに、前記一部４４ａのそれ以上の配管１０側への接近を禁止し、その後の締め付けに伴って当該結合リング４０の姿勢を正規の取り付け姿勢に近づける取り付け矯正面５１を、フランジ部２０又は配管１０に設けるようにした。【選択図】図６
2012117622.tif 000002
【特許請求の範囲】
【請求項１】
一対の配管の端部にそれぞれ設けたフランジ部を対向させた状態で、内周面に凹溝が周方向に延びるように設けられた結合リングを、前記対向するフランジ部の外周縁部に外嵌させ、該結合リングをその内径が縮小するように締め付けることによって、前記凹溝の側面に形成した傾斜面がフランジ部の対向面とは反対側の裏面に形成した傾斜面を押圧し、その際に生じる軸方向の分力により前記フランジ部同士が圧着結合されるように構成したものであって、
前記フランジ部に対し、前記結合リングを正規の取り付け姿勢よりも所定角度以上傾いた姿勢のまま取り付けて締め付けた場合にのみ、締め付け完了前に当該結合リングの一部に当接するとともに、前記一部のそれ以上の配管側への接近を禁止し、その後の締め付けに伴って当該結合リングの姿勢を前記正規の取り付け姿勢に近づける取り付け矯正面を、前記フランジ部又は配管に設けたことを特徴とする配管接続構造。
【請求項２】
前記取り付け矯正面が、フランジ部の傾斜面の途中から突出する突出部に設けられている請求項１記載の配管接続構造。
【請求項３】
前記突出部が周回しており、前記取り付け矯正面が環状をなす請求項２記載の配管接続構造。
【請求項４】
請求項１記載の前記配管接続構造に用いられるものであって、
前記配管と、前記配管の端部に設けられた前記フランジ部と、前記配管又は前記フランジ部に設けられた前記取り付け矯正面とを具備するフランジ付き配管。
【発明の詳細な説明】
【技術分野】
【０００１】
本発明は、一対の配管を接続する配管接続構造に関し、より詳しくは、端部にフランジ部が設けられた一対の配管を直列接続する配管接続構造に関する。
【背景技術】
【０００２】
この種の配管接続構造として、一対の配管の端部に円環板状のフランジ部を設け、そのフランジ部を結合リングを用いて結合するものが知られている（特許文献１）。この結合リングの内周面には、周方向に延びるように凹溝が設けられている。
【０００３】
配管の接続時には、前記凹溝を、対向させたフランジ部の外周縁部に外嵌させた後、締結具を用いて、前記結合リングの内径を狭める。これによって、前記凹溝の側面に形成された傾斜面が、フランジ部の対向面とは反対側の裏面に形成された傾斜面を押圧する。その際に、フランジ部を軸方向に押圧する分力が生じ、この分力によって前記フランジ部を圧着結合するようにしてある。
【先行技術文献】
【特許文献】
【０００４】
【特許文献１】特開２００８−２８６３２５号公報
【発明の概要】
【発明が解決しようとする課題】
【０００５】
しかしながら、結合リングを取り付ける際に、結合リングがフランジ部に対して斜めになってしまうと、前記締結具を締めていっても、配管同士が十分に密着しない状態になってしまったり、配管同士の軸がずれてしまったりするという問題がある。その結果、配管が適切に接続されず、配管内部を流通する流体が漏れ出す恐れがある。
【０００６】
そこで、本発明は上記の問題を解決すべくなされたものであり、結合リングがフランジ部に対して斜めに傾いた状態で取り付けられることを防止して、確実に配管を接続できる配管接続構造を提供することをその主たる所期課題とするものである。
【課題を解決するための手段】
【０００７】
すなわち、本発明に係る配管接続構造は、一対の配管の端部にそれぞれ設けたフランジ部を対向させた状態で、内周面に凹溝が周方向に延びるように設けられた結合リングを、前記対向するフランジ部の外周縁部に外嵌させ、該結合リングをその内径が縮小するように締め付けることによって、前記凹溝の側面に形成した傾斜面がフランジ部の対向面とは反対側の裏面に形成した傾斜面を押圧し、その際に生じる軸方向の分力により前記フランジ部同士が圧着結合されるように構成したものであって、前記フランジ部に対し、前記結合リングを正規の取り付け姿勢よりも所定角度以上傾いた姿勢のまま取り付けて締め付けた場合にのみ、締め付け完了前に当該結合リングの一部に当接するとともに、前記一部のそれ以上の配管側への接近を禁止し、その後の締め付けに伴って当該結合リングの姿勢を前記正規の取り付け姿勢に近づける取り付け矯正面を、前記フランジ部又は配管に設けたことを特徴とするものである。
【０００８】
このようなものであれば、前記取り付け矯正面が、前記フランジ部に対し、前記結合リングを正規の取り付け姿勢よりも所定角度以上傾いた姿勢のまま取り付けて締め付けた場合にのみ、締め付け完了前に当該結合リングの一部に当接するとともに、前記一部のそれ以上の配管側への接近を禁止し、その後の締め付けに伴って当該結合リングの姿勢を前記正規の取り付け姿勢に近づけるので、結合リングを取り付ける際に、結合リングが配管に対して斜めになってしまった場合であっても、結合リングの一部が配管側に近づかないようにするとともに、結合リングの他の部分が配管側に近づくようにして、前記フランジ部に対する結合リングの傾きを小さくすることができ、結合リングの姿勢を改善することができる。その結果、結合リングがフランジ部に対して斜めに傾いた状態で取り付けられることを防止でき、フランジ部を確実に結合でき、フランジ部が設けられた配管を確実に接続できる。
【０００９】
より確実に結合リングの姿勢を改善するためには、前記取り付け矯正面が、フランジ部の傾斜面の途中から突出する突出部に設けられていることが望ましい。
【００１０】
前記突出部が周回しており、前記取り付け矯正面が環状をなすものであれば、前記フランジ部に対して、前記結合リングがどの方向から取り付けられた場合であっても、結合リングの姿勢を改善できる。
【００１１】
前記配管接続構造に用いられるフランジ付き配管もまた、本発明の一様態である。より詳しくは、前記フランジ付き配管は、前記配管と、前記配管の端部に設けられた前記フランジ部と、前記配管又は前記フランジ部に設けられた前記取り付け矯正面とを具備する。
【発明の効果】
【００１２】
上述した構成の配管又は結合リングを用いた配管接続構造であれば、結合リングがフランジ部に対して斜めに傾いた状態で取り付けられることを防止して、確実に配管を接続できる。
【図面の簡単な説明】
【００１３】
【図１】本発明の一実施形態における配管接続構造を示す分解図。
【図２】同実施形態における配管接続構造の正規の接続完了状態を示す縦断面図。
【図３】同実施形態における結合リングの開放状態を示す部分横断面図。
【図４】同実施形態における結合リングの結合状態を示す図。
【図５】同実施形態における配管接続構造の傾いた状態での接続過程を示す縦断面図。
【図６】同実施形態における配管接続構造の若干傾いた接続完了状態を示す縦断面図。
【図７】他の実施形態における配管接続構造の接続完了状態を示す縦断面図。
【図８】さらに他の実施形態における配管接続構造の接続完了状態を示す縦断面図。
【発明を実施するための形態】
【００１４】
以下、本発明の一実施形態を、図面を参照して説明する。本実施形態に係る配管接続構造１００は、一対の配管１０を直列接続するものであり、例えば前記配管１０とその配管１０によって接続される流体機器（図示しない）とを具備する流体供給ラインに用いられるものである。この配管接続構造１００は、前記一対の配管１０の先端部にそれぞれ設けた一対のフランジ部２０と、前記各フランジ部２０間に介在するガスケット３０と、前記各フランジ部２０を結合する結合リング４０とを具備する。各部について詳述する。
【００１５】
フランジ部２０は、図１、２に示すように、概略円環板状をなし、ここでは前記配管１０と一体で設けられて、フランジ部２０の軸Ａ１が、前記配管１０の軸と略一致するようにしてある。このフランジ部２０は、前記配管１０とともにフランジ付き配管１の一部を構成するものである。図２に示すように、前記フランジ部２０の先端面（以下、対向面ともいう）には、円環状をなす突起２１が設けられており、フランジ部２０の裏面には先端に向かうにつれ径が大きくなる傾斜面２２が形成されている。フランジ部２０の側周面における先端部には、若干小径となる段部２３が形成されている。
【００１６】
ガスケット３０は、図２に示すように、前記各フランジ部２０に挟まれて、前記フランジ部２０の突起２１が食い込むことにより、気密性を担保するものである。具体的にこのガスケット３０は、等厚円環板状をなし、前記各フランジ部２０間に挟まれるガスケット本体３１と、概略円筒形状をなし、前記ガスケット本体３１が一端を塞ぐように取り付けられた嵌合部３２とを具備する。嵌合部３２の内径は、前記フランジ部２０の段部２３の外径に略一致するように設定されており、前記嵌合部３２が前記段部２３に嵌まって、前記ガスケット本体３１の軸と前記フランジ部２０の軸Ａ１とを略一致させるようにしてある。嵌合部３２の外径は、前記フランジ部２０の最も大径となる部分である、側周面の基端部の外径よりも小さく設定されている。ガスケット本体３１の内径は、前記配管１０の内径と略一致している。
【００１７】
結合リング４０は、図３に開放状態を、図４に環状態を示すように、隣り合うもの同士が互いに回転可能に連結された一連のユニット部材４１ａ〜ｃと、両端のユニット部材４１ａ、ｃを連結して前記一連のユニット部材４１ａ〜ｃを環状にする締結具４２とを具備するものである。各ユニット部材４１ａ〜ｃ（ここでは３つ）の内周面には、周方向に延びる凹溝４３が設けてある。図２に示すように、凹溝４３は、対向したフランジ部２０の外周縁部に外嵌させることができる幅を有し、凹溝４３の側面には、フランジ部２０の傾斜面２２に対応する角度の傾斜面４３ａが形成されている。凹溝４３の縁には、結合リング４０の軸Ａ２を中心とし、結合リング４０の軸Ａ２に平行な環状をなす面（以下、被矯正面４４ともいう）が形成されている。
【００１８】
締結具４２は、図３、図４等に示すように、ボルト部４２ａとナット部４２ｂとを具備する。ボルト部４２ａは基端部が一端のユニット部材４１ａの先端部に回転可能に連結されており、図２に示すように、先端部が他端のユニット部材４１ｃの先端部に設けられた溝状の切欠部４２ｃに嵌まり込むように構成したものである。前記切欠部４２ｃにはまり込んで突出したボルト部４２ａにナット部４２ｂを螺合させることによって、両端のユニット部材４１ａ、ｃを連結し、結合リング４０の内径を拡縮することができる。
【００１９】
しかして、本実施形態の配管接続構造１００は、突出部５０をさらに具備している。図１、２等に示すように、この突出部５０は、概略環状をなし、ここでは、前記フランジ部２０の傾斜面２２の途中（ここでは傾斜面２２の基端部）から突出するとともに、前記フランジ部２０の基端部を周回するように設けられたものである。突出部５０のラジアル方向外向きの面（以下、取り付け矯正面５１ともいう）は、フランジ部２０の軸Ａ１を中心とし、前記フランジ部２０の軸Ａ１に平行な環状をなす面であり、ここでは傾斜面２２と連続している。この取り付け矯正面５１の軸方向の長さは、結合リング４０の軸方向の長さと、対向させた一対のフランジ部２０及び突出部５０の軸方向の長さとが略一致するように設定されている。突出部５０の軸方向外向きの面５２は、前記フランジ部２０の軸Ａ１に直交する円環板状をなす面である。
【００２０】
なお、ここでは、取り付け矯正面５１は、前記フランジ部２０の軸Ａ１に平行であるものとし、言い換えれば、取り付け矯正面５１の法線ベクトルは、ラジアル方向外向きの成分を含むが、軸方向に平行な成分は実質的に含まないものとした。しかしながら、取り付け矯正面５１はこれに限られるものではなく、基端側や先端側に傾いていても良い。取り付け矯正面５１が基端側に傾いている場合（前記法線ベクトルが、軸方向に平行であり基端側を向く成分と、ラジアル方向外向きの成分とを含む場合）には、フランジ部２０の軸Ａ１に対する取り付け矯正面５１の傾きが、前記フランジ部２０の傾斜面２２の傾きよりも小さく、かつラジアル方向外向きであればよい。これに対し、取り付け矯正面が先端側に傾いている場合（前記法線ベクトルが、軸方向に平行であり先端側を向く成分と、ラジアル方向外向きの成分とを含む場合）には、ラジアル方向外向きであればよい。
【００２１】
前記取り付け矯正面５１及び前記被矯正面４４の説明を兼ねて、このような配管接続構造１００を用いて、配管１０同士を接続する手順の一例について説明する。はじめに、結合リング４０を取り付ける際に、結合リング４０がフランジ部２０に対してほとんど斜めにならず、正規の取り付け姿勢をほぼ保っている場合について、図２を参照しながら説明する。
【００２２】
まず、一方のフランジ部２０の段部２３に、ガスケット３０の嵌合部３２を嵌め込み、ガスケット３０の軸とフランジ部２０の軸Ａ１とを略一致させるとともに、前記一方のフランジ部２０の突起２１とガスケット本体３１の一面とを当接させる。さらに、ガスケット本体３１の裏面に、他方のフランジ部２０の突起２１を当接させる。
【００２３】
次に、両端のユニット部材４１ａ、ｃが連結されていない開放状態の結合リング４０を、対向したフランジ部２０の外周縁部に巻きつけて、前記外周縁部に前記結合リング４０の凹溝４３を外嵌させる。その後、両端のユニット部材４１ａ、ｃを、締結具４２によって連結して締め付けて、内径を縮小させていく。
【００２４】
この結合リング４０の締め付け過程において、結合リング４０の被矯正面４４が、フランジ部２０の取り付け矯正面５１に近づいていく。フランジ部２０に対して、結合リング４０が正規の取り付け姿勢又はそれに準ずる姿勢を保っているので、前記被矯正面４４が前記取り付け矯正面５１と当接せず離間した状態を保ったまま、前記被矯正面４４が配管１０側へと近づいていく。なお、結合リング４０が正規の取り付け姿勢であることとは、ここでは、フランジ部２０の軸Ａ１と、結合リング４０の軸Ａ２とが略一致する状態であることを指し、前記準ずる姿勢であることとは、結合リング４０が若干傾いた姿勢であり、より具体的には、前記各軸Ａ１、Ａ２がなす傾斜角度が、所定角度（ここでは３度以下であり、１度が好ましい）未満である状態を指す。
【００２５】
取り付け矯正面５１と被矯正面４４との接近と並行して、前記凹溝４３の傾斜面４３ａが、前記フランジ部２０の傾斜面２２を押圧していく。その際にフランジ部２０同士を軸方向に密着させる向きに押圧する分力が生じ、この分力によって、フランジ部２０同士が押し付けられ、突起２１がガスケット３０に食い込み、配管１０同士が気密に接続される。
【００２６】
次に、結合リング４０を取り付ける際に、結合リング４０がフランジ部２０に対して斜めになってしまい、正規の取り付け姿勢を保っていない場合について、図５、６を参照しながら説明する。
【００２７】
まず、上述の手順と同様に、一対のフランジ部２０とガスケット３０とを組み立てる。次に、フランジ部２０に結合リング４０を取り付けて締め付けるのであるが、この結合リング４０の締め付け過程において、図５に示すように、フランジ部２０に対して、結合リング４０が正規の取り付け姿勢よりも前記所定角度以上傾いた姿勢となっている。なお、結合リング４０が前記傾いた姿勢であることとは、ここでは、前記フランジ部２０の軸Ａ１と、結合リング４０の軸Ａ２とがなす傾斜角度が、前記所定角度以上である状態を指す。
【００２８】
結合リング４０を締め付けていくと、結合リング４０の内径が狭まり、結合リング４０の被矯正面４４が、フランジ部２０の取り付け矯正面５１に近づいていく。この時、結合リング４０が傾いているので、結合リング４０の被矯正面４４の一部４４ａ（ここでは被矯正面４４の一端部）が、前記取り付け矯正面５１（ここでは取り付け矯正面５１の外縁５１ａ）に当接する。これにより、前記被矯正面４４の一部４４ａは、それ以上配管１０側に近づくことができなくなる。この状態において、被矯正面４４の他の部分４４ｂ（ここでは被矯正面４４の他端部）とフランジ部２０の軸Ａ１との距離は、被矯正面４４の前記一部４４ａとフランジ部２０の軸Ａ１との距離よりも大きくなっている。
【００２９】
その後、さらに結合リング４０を締め付けていくと、被矯正面４４の一部４４ａは、配管１０側との距離（フランジ部２０の軸Ａ１との距離）を一定に保ったまま、移動しないか、又は軸方向と平行に移動する。これに対し、結合リング４０の他の部分４４ｂは、さらに配管１０側に近づいていく。これにより、被矯正面４４の他の部分４４ｂとフランジ部２０の軸Ａ１との距離が縮まり、被矯正面４４の一部４４ａとフランジ部２０の軸Ａ１との距離に近づいていく。その結果、前記結合リング４０の傾きが小さくなり、結合リング４０の姿勢は、正規の取り付け姿勢に近づいていく。
【００３０】
上述の手順と同様に、取り付け矯正面５１と被矯正面４４との接近と並行して、前記凹溝４３の傾斜面４３ａが、フランジ部２０の傾斜面２２を押圧し、その際に生じた軸方向への分力によって、フランジ部２０同士が押し付けられて、配管１０同士が気密に接続される。図５に示す締め付け完了前の状態と、図６に示す締め付け完了時の状態とを比較すると、締め付け完了時には、結合リング４０の姿勢が改善されており、傾きが小さくなっていることが分かる。
【００３１】
このような構成のものであれば、前記取り付け矯正面５１が、前記フランジ部２０に対し、前記結合リング４０を正規の取り付け姿勢よりも所定角度以上傾いた姿勢のまま取り付けて締め付けた場合にのみ、締め付け完了前に当該結合リング４０の一部４４ａに当接するとともに、前記一部４４ａのそれ以上の配管１０側への接近を禁止し、その後の締め付けに伴って当該結合リング４０の姿勢を前記正規の取り付け姿勢に近づけるので、結合リング４０を取り付ける際に、結合リング４０が配管１０に対して斜めになってしまった場合であっても、結合リング４０の一部４４ａが配管１０側に近づかないようにするとともに、結合リング４０の他の部分４４ｂが配管１０側に近づくようにして、前記フランジ部２０に対する結合リング４０の傾きを小さくすることができ、結合リング４０の姿勢を改善することができる。その結果、結合リング４０がフランジ部２０に対して斜めに傾いた状態で取り付けられることを防止でき、フランジ部２０を確実に結合でき、フランジ部２０が設けられた配管１０を確実に接続できる。
【００３２】
また、結合リング４０の軸方向の長さと、対向させた一対のフランジ部２０及び突出部５０の軸方向の長さとが略一致するように、取り付け矯正面５１の軸方向の長さを設定してあるので、結合リング４０から突出部５０がほとんどはみ出さないようにでき、フランジ付き配管１の長さを可及的に短くすることができる。
【００３３】
なお、本発明は前記実施形態に限られるものではない。例えば、取り付け矯正面は、フランジ部の傾斜面から突出する突出部に設けられるものとしたが、フランジ部の側周面や、前記配管の外周面に設けられるものとしてもよい。具体的な例としては、図７に示すように、結合リングの凹溝傾斜面に環状の突出部が設けられており、その突出部のラジアル方向内向きの面に被矯正面が形成されるとともに、フランジ部の側周面に取り付け矯正面が形成されたものを挙げることができる。また、配管の外周面に取り付け矯正面が形成されたものの例としては、図８に示すように、結合リングの縁を、ラジアル方向内向きにさらに突出させ、その突出部に被矯正面を形成したものを挙げることができる。また、突出部を、フランジ部又は配管と一体で設けるのではなく、別体で設けてもよい。その他、本発明はその趣旨を逸脱しない範囲で種々変形が可能である。
【符号の説明】
【００３４】
１００・・・配管接続構造
１０・・・配管
２０・・・フランジ部
２２・・・フランジ部の傾斜面
４０・・・結合リング
４３・・・凹溝
４３ａ・・・結合リングの傾斜面
４４・・・被矯正面
４４ａ・・・被矯正面の一部
５１・・・取り付け矯正面
Ａ１・・・フランジ部の軸
Ａ２・・・結合リングの軸
【図１】
2012117622.tif 000003
【図２】
2012117622.tif 000004
【図３】
2012117622.tif 000005
【図４】
2012117622.tif 000006
【図５】
2012117622.tif 000007
【図６】
2012117622.tif 000008
【図７】
2012117622.tif 000009
【図８】
2012117622.tif 000010